(57)【特許請求の範囲】
【請求項１】
バーナの点火操作を行う操作部によって前記バーナの点火操作が行われた場合に電源が投入されて燃焼動作を開始するコンロであって、
電源投入後の前記コンロの動作履歴情報を記憶する記憶手段と、
前記操作部による点火操作後の所定の動作が正常に終了した場合に、前記記憶手段に記憶されている前記動作履歴情報を消去する消去手段と、
電源が投入された場合に、前記記憶手段に前記動作履歴情報が記憶されているか否かを判断する第一判断手段と、
前記第一判断手段によって前記記憶手段に前記動作履歴情報が記憶されていると判断された場合に、所定の異常対応処理を行う異常対応処理手段と
を備え、
前記所定の動作は、イグナイタの点火動作、及び前記バーナへのガス通路を開閉する弁の駆動動作のうち少なくとも何れかであることを特徴とするコンロ。
【請求項２】
前記異常対応処理は、前記イグナイタによる点火動作を禁止する為の処理、及び異常を報知する為の処理の少なくとも何れかを含むことを特徴とする請求項１に記載のコンロ。
【請求項３】
前記動作履歴情報は、前記バーナの上方にある五徳に調理容器が載置されているか否かの情報、及び電源が投入されているか否かの情報のうち少なくとも何れかを含むことを特徴とする請求項１又は２に記載のコンロ。
【請求項４】
前記バーナの上方にある五徳に調理容器が載置されているか否かを検出する調理容器検出手段と、
電源が投入された場合に、前記弁を一旦閉じて前記ガス通路を遮断する閉弁手段と、
前記閉弁手段によって前記弁が閉じられる前に、前記調理容器検出手段による検出動作の情報を前記動作履歴情報の少なくとも一部として前記記憶手段に記憶する調理容器検出記憶手段と、
前記閉弁手段によって前記弁が一旦閉じられた場合に、前記記憶手段に記憶された前記検出動作の情報に基づき、前記調理容器検出手段が調理容器を検出したか否かを判断する第二判断手段と、
前記第二判断手段によって前記調理容器検出手段が調理容器を検出したと判断された場合、前記弁を開放すると共に、前記バーナを点火する点火実行手段と、
前記第二判断手段によって前記調理容器検出手段が調理容器を検出していないと判断された場合、前記バーナの点火を禁止、又は前記バーナを点火した後の前記バーナの燃焼を制限する点火燃焼制限手段と
を備えたことを特徴とする請求項１から３の何れかに記載のコンロ。
【発明の詳細な説明】
【技術分野】
【０００１】
本発明は、コンロに関する。
【背景技術】
【０００２】
従来、使用目的に応じて、五徳上に調理容器が載置されていない場合に消火又は火力を弱める安全機能の実施と、点火の不実施又は延期とを選択可能なガスこんろが知られている（例えば特許文献１参照）。この種のガスこんろでは、例えば使用者による点火操作により電源がオンされると、制御回路は例えば調理容器が五徳上に載置されている場合はガス供給管に設けられた電磁弁を開き、イグナイタを放電させることによってバーナに点火する。一方、調理容器が五徳上に載置されていない場合は電磁弁を閉めてバーナの点火を禁止する。
【先行技術文献】
【特許文献】
【０００３】
【特許文献１】特開２００６−１３８５７１号公報
【発明の概要】
【発明が解決しようとする課題】
【０００４】
ところが、特許文献１に記載のガスこんろでは、電磁弁の駆動動作には比較的大きな電流が流れる為、電源の供給電圧が低下している場合、電磁弁の駆動動作中に制御回路がリセットして再起動する場合があった。この場合、制御回路が再起動しても、電源の供給電圧が低下しているので電磁弁の駆動動作中に制御回路が再度リセットされてしまう。この一連の動作が繰り返されることにより、いつまで経ってもバーナが点火されないため、使用者からは一見コンロが全く動作していないように見えてしまい、コンロの電源異常に速やかに対応できなかった。
【０００５】
本発明の目的は、バーナの点火操作時において、電源異常に速やかに対応できるコンロを提供することである。
【課題を解決するための手段】
【０００６】
本発明の請求項１に係るコンロは、バーナの点火操作を行う操作部によって前記バーナの点火操作が行われた場合に電源が投入されて燃焼動作を開始するコンロであって、電源投入後の前記コンロの動作履歴情報を記憶する記憶手段と、前記操作部による点火操作後の所定の動作が正常に終了した場合に、前記記憶手段に記憶されている前記動作履歴情報を消去する消去手段と、電源が投入された場合に、前記記憶手段に前記動作履歴情報が記憶されているか否かを判断する第一判断手段と、前記第一判断手段によって前記記憶手段に前記動作履歴情報が記憶されていると判断された場合に、所定の異常対応処理を行う異常対応処理手段とを備え、前記所定の動作は、イグナイタの点火動作、及び前記バーナへのガス通路を開閉する弁の駆動動作のうち少なくとも何れかであることを特徴とする。
【０００７】
【０００８】
また請求項２に係る発明のコンロは、請求項１に記載の発明の構成に加え、前記異常対応処理は、前記イグナイタによる点火動作を禁止する為の処理、及び異常を報知する為の処理の少なくとも何れかを含むことを特徴とする。
【０００９】
また請求項３に係る発明のコンロは、請求項１又は２に記載の発明の構成に加え、前記動作履歴情報は、前記バーナの上方にある五徳に調理容器が載置されているか否かの情報、及び電源が投入されているか否かの情報のうち少なくとも何れかを含むことを特徴とする。
【００１０】
また請求項４に係る発明のコンロは、請求項１から３の何れかに記載の発明の構成に加え、前記バーナの上方にある五徳に調理容器が載置されているか否かを検出する調理容器検出手段と、電源が投入された場合に、前記弁を一旦閉じて前記ガス通路を遮断する閉弁手段と、前記閉弁手段によって前記弁が閉じられる前に、前記調理容器検出手段による検出動作の情報を前記動作履歴情報の少なくとも一部として前記記憶手段に記憶する調理容器検出記憶手段と、前記閉弁手段によって前記弁が一旦閉じられた場合に、前記記憶手段に記憶された前記検出動作の情報に基づき、前記調理容器検出手段が調理容器を検出したか否かを判断する第二判断手段と、前記第二判断手段によって前記調理容器検出手段が調理容器を検出したと判断された場合、前記弁を開放すると共に、前記バーナを点火する点火実行手段と、前記第二判断手段によって前記調理容器検出手段が調理容器を検出していないと判断された場合、前記バーナの点火を禁止、又は前記バーナを点火した後の前記バーナの燃焼を制限する点火燃焼制限手段とを備える。
【発明の効果】
【００１１】
請求項１に係る発明のコンロでは、例えば電源の供給電圧が低下している場合、例えばコンロの点火操作後の所定の動作によって大きな電流が流れると、所定の動作が正常に終了しないままリセットされてしまう可能性がある。この場合、記憶手段には動作履歴情報が残っている。動作履歴情報が残っている場合、所定の動作が正常に終了しておらず、何らかの異常があると判断し、所定の異常対応処理を行う。それ故、バーナの点火操作時において、電源異常に速やかに対応できるので、コンロの安全性が向上する。更に、記憶手段には動作履歴情報が残っているので、リセット原因を特定できる。所定の動作は、イグナイタの点火動作、及びバーナへのガス通路を開閉する弁の駆動動作のうち少なくとも何れかであるので、例えばイグナイタの点火動作が正常に終了しなかった場合や、弁の駆動動作が正常に終了しなかった場合等に、所定の異常対応処理を行うことができるので、コンロの安全性が向上する。
【００１２】
【００１３】
また請求項２に係る発明のコンロでは、請求項１に記載の発明の効果に加え、電源異常の可能性があるので、イグナイタによる点火動作を禁止することにより、コンロの安全性を向上できる。また異常をユーザに報知することにより、ユーザによる迅速な対応が可能である。
【００１４】
また請求項３に係る発明のコンロでは、請求項１又は２に記載の発明の効果に加え、バーナの上方にある五徳に調理容器が載置されているか否かの情報や、電源が投入されているか否かの情報が動作履歴情報として記憶手段に記憶されていれば、消去手段によって消去されていないので、電源異常の可能性を推定できる。
【００１５】
また請求項４に係る発明のコンロでは、請求項１から３の何れかに記載の発明の効果に加え、弁の駆動動作時には大電流が流れるので、その後の電圧は不安定となる。例えばこのタイミングで調理容器検出手段によって調理容器の有無を検出した場合、誤検出の虞がある。そこで本発明の場合、弁を閉じる前に調理容器の有無を検出してその結果を記憶し、弁を閉じた後に記憶結果を参照してバーナを点火するか否か、又はバーナの燃焼を制限するか否かを決める。それ故、コンロの安全性が更に向上する。
【図面の簡単な説明】
【００１６】
【図１】コンロ１の平面図である。
【図２】コンロ１の正面図である。
【図３】コンロ１の電気的構成を示すブロック図である。
【図４】ＣＰＵ７１による点火燃焼制御処理のフローチャートである。
【発明を実施するための形態】
【００１７】
以下、本発明の一実施形態であるコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。図１に示すコンロ１はテーブルコンロであるが、ビルトインコンロ等であってもよい。
【００１８】
先ず、コンロ１の物理的構成について、図１，図２を参照して説明する。図１に示すように、コンロ１の天面にはトッププレート２が設けられている。トッププレート２の左側には開口部３が形成されている。右側には開口部４が形成されている。開口部３，４は平面視円形状である。開口部３の内側には標準バーナ５が設けられている。開口部４の内側には強火力バーナ６が設けられている。開口部３，４の各上部には五徳１１，１２が各々設けられている。五徳１１，１２の各上部には調理鍋（図示略）等が各々載置される。標準バーナ５の中心にはセンサ部１５が設けられている。強火力バーナ６の中心にはセンサ部１６が設けられている。
【００１９】
センサ部１５，１６は上下方向に出退可能である。センサ部１５，１６は五徳１１，１２に調理鍋が載置された際に下方向へ押し下げられる。センサ部１５は、例えばサーミスタ７（図３参照）、鍋載置センサ５５（図３参照）等を備える。センサ部１６は、例えばサーミスタ８（図３参照）、鍋載置センサ５６（図３参照）等を備える。サーミスタ７，８は、五徳１１，１２上に載置された調理鍋の鍋底に当接することにより鍋底温度を検出する。調理鍋内の被調理物の温度は直接検出できない。それ故、コンロ１は鍋底温度を検出することにより調理鍋内の被調理物の温度を推定する。鍋載置センサ５５，５６は、マイクロスイッチ（図示略）等を備える。マイクロスイッチは例えば通常オフの状態である。例えば鍋底によって押し下げられることによりオンする。この性質を利用することにより、コンロ１は、五徳１１，１２上に調理鍋が載置されているか否かを識別可能である。
【００２０】
トッププレート２の後方には、グリル排気口（図示略）が設けられている。グリル排気口はグリル庫内の排気を行う為の開口である。グリル庫はコンロ１の中央内部に設けられている。グリル排気口には排気口カバー１３，１４が設けられている。排気口カバー１３，１４は例えば複数の排気孔１３Ａ，１４Ａを備える。
【００２１】
図２に示すように、コンロ１の前面には、グリル扉１７、点火スイッチ２１〜２３、火力調節レバー２５〜２７等が各々設けられている。グリル扉１７はコンロ１の前面の幅方向略中央に設けられている。グリル扉１７はグリル庫内の焼き網、受け皿等を出し入れ可能とする。点火スイッチ２１はグリル扉１７の左隣りに設けられている。点火スイッチ２１は標準バーナ５（図１参照）の点火操作を行う。点火スイッチ２２はコンロ１前面の右端に設けられている。点火スイッチ２２は強火力バーナ６の点火操作を行う。点火スイッチ２３はグリル扉１７の右隣りに設けられている。点火スイッチ２３はグリルバーナの点火操作を行う。火力調節レバー２５は点火スイッチ２１の上側に設けられている。火力調節レバー２５は標準バーナ５の火力調整を行う。火力調節レバー２６は点火スイッチ２２の上側に設けられている。火力調節レバー２６は強火力バーナ６の火力調整を行う。火力調節レバー２７は点火スイッチ２３の上側に設けられている。火力調節レバー２７はグリルバーナの火力調整を行う。
【００２２】
コンロ１の前面の左端上部には操作パネル３０が設けられている。操作パネル３０は、コンロ１の各種設定、操作等を行う為の機器である。操作パネル３０は、例えば表示画面３１、スピーカ５２（図３参照）、各種設定スイッチ等を備える。表示画面３１は各種画面を表示して使用者に各種報知を行う。スピーカ５２は使用者にブザー、音声等による各種報知を行う。操作パネル３０の下方には電池ボックス２９が設けられている。電池ボックス２９は例えば２つの乾電池を格納可能である。なお詳述しないが、コンロ１にはグリルタイマー（図示略）が搭載されている。グリルタイマーは例えばグリルの調理時間を設定し、自動消火・音声報知を行う為のものである。グリルタイマーの設定時間、残り時間等は、表示画面３１に表示される。グリルタイマーは例えば後述する制御回路７０に設けられている。
【００２３】
なお、標準バーナ５、強火力バーナ６及びグリルバーナ（図示略）には、イグナイタ３５（図３参照）が各々設けられている。各イグナイタ３５は点火スイッチ２１〜２３の点火操作に連動して火花を放電させて各種バーナに点火する機器である。コンロ１は、第１〜第３ガス供給管（図示略）を備える。第１ガス供給管は例えば標準バーナ５にガスを供給する為の管である。第２ガス供給管は例えば強火力バーナ６にガスを供給する為の管である。第３ガス供給管は例えばグリルバーナにガスを供給する為の管である。第１ガス供給管には例えば安全弁３７と電磁弁６１が各々設けられている。第２ガス供給管には例えば安全弁３８と電磁弁６２が各々設けられている。第３ガス供給管には例えば安全弁３９と電磁弁６３が各々設けられている。電磁弁６１〜６３は例えばガス供給量を調節して各種バーナの火力を切り替える為の弁である。安全弁３７〜３９はガス供給を遮断して消火する為の弁である。
【００２４】
次に、コンロ１の電気的構成について、図３を参照して説明する。コンロ１は制御回路７０を備える。制御回路７０は、例えばＣＰＵ７１、ＲＯＭ７２、ＲＡＭ７３に加え、図示しないタイマー、グリルタイマー、Ｉ／Ｏインタフェイス等を備える。タイマー、グリルタイマーはプログラムで作動するものである。ＣＰＵ７１はコンロ１の各種動作を統括制御する。ＲＯＭ７２はコンロ１の各種制御プログラム等を記憶する。ＲＡＭ７３はコンロ１の各種情報を一時的に記憶する。本実施形態では、後述する鍋フラグがＲＡＭ７３に記憶される。
【００２５】
制御回路７０には、電源回路４１、スイッチ入力回路４２、サーミスタ入力回路４３、操作パネル入力回路４４、イグナイタ回路４５、安全弁回路４６、電磁弁回路４７、センサ入力回路４８、ブザー回路４９、音声合成回路５０等が各々接続されている。電源回路４１は電池ボックス２９に搭載される２つの乾電池によって各種回路に電源を供給する。スイッチ入力回路４２は、点火スイッチ２１〜２３の押下を各々検出する。操作パネル入力回路４４は操作パネル３０における各種操作の入力を行う。イグナイタ回路４５は各種バーナのイグナイタ３５を各々駆動する。安全弁回路４６は各安全弁３７〜３９の開閉を行う。電磁弁回路４７は各電磁弁６１〜６３の開閉を行う。センサ入力回路４８には、鍋載置センサ５５，５６が各々接続されている。センサ入力回路４８は鍋載置センサ５５，５６の各検出信号の入力を行う。ブザー回路４９には圧電ブザー５１が接続されている。ブザー回路４９は圧電ブザー５１を駆動する。音声合成回路５０はスピーカ５２から出力させる音声ガイドの音声を合成する。
【００２６】
次に、ＲＡＭ７３に記憶する鍋フラグについて説明する。鍋フラグは、例えば鍋載置センサ５５，５６の各検出結果を示す。例えば点火スイッチ２１の点火操作の際に、鍋載置センサ５５が五徳１１上に調理鍋を検出した場合、鍋載置センサ５５の鍋フラグ１が記憶される。調理鍋を検出しなかった場合、鍋フラグ０が記憶される。鍋載置センサ５６の鍋フラグも同様である。鍋フラグは本発明の「動作履歴情報」の一例である。
【００２７】
本実施形態では、例えば点火スイッチ２１，２２の何れかによる点火操作後に、電磁弁６１，６２の何れかの動作が正常に終了した場合、ＲＡＭ７３に記憶された鍋フラグは消去される。それ故、電磁弁６１，６２の何れかの動作が正常に終了する前に、例えば電源異常による制御回路７０のリセット動作が起きた場合、ＲＡＭ７３に記憶された鍋フラグは消去されない。従って、例えば点火スイッチ２１，２２の何れかによる点火操作後に制御回路７０が起動して電源がオンされた際に、ＲＡＭ７３に鍋フラグが記憶されている場合、電源異常によるリセット動作が起きたことがわかる。本実施形態は、制御回路７０の起動時にＲＡＭ７３に鍋フラグが記憶されている場合、電源異常とみなし、点火禁止とする処理を実行する。これにより電源異常に対して迅速な対応が可能となる。
【００２８】
次に、ＣＰＵ７１による点火燃焼制御処理について、図４のフローチャートを参照して説明する。例えば点火スイッチ２１が使用者によって押下されると、ＣＰＵ７１はＲＯＭ７２に記憶された点火燃焼制御プログラムを読み出し、本処理を実行する。
【００２９】
先ず、ＣＰＵ７１は電源をオンする（Ｓ１１）。電源回路４１から各種回路に電源が供給される。ＣＰＵ７１はＲＡＭ７３に鍋フラグが記憶されているか否か判断する（Ｓ１２）。上述の通り、ＲＡＭ７３に鍋フラグが記憶されている場合、電源異常によるリセット動作が起きた可能性が高い。従って、ＣＰＵ７１はＲＡＭ７３に鍋フラグが記憶されていると判断した場合（Ｓ１２：ＹＥＳ）、電源異常であるとみなし、ＲＡＭ７３に記憶された鍋フラグを消去し（Ｓ２３）、各種バーナの点火を禁止して（Ｓ２４）、処理を終了する。制御回路７０のリセット原因が特定できるので、コンロ１を安全に停止させることができる。コンロ１の安全性が向上する。
【００３０】
一方、ＣＰＵ７１は、ＲＡＭ７３に鍋フラグが記憶されていないと判断した場合（Ｓ１２：ＮＯ）、電源異常は起きていないので、鍋載置センサ５５によって、五徳１１上に調理鍋が載置されているか否か判断する（Ｓ１３）。五徳１１上に調理鍋が載置されていると判断した場合（Ｓ１３：ＹＥＳ）、ＲＡＭ７３に鍋フラグ１を記憶する（Ｓ１４）。五徳１１上に調理鍋が載置されていないと判断した場合（Ｓ１３：ＮＯ）、ＲＡＭ７３に鍋フラグ０を記憶する（Ｓ１５）。
【００３１】
次いで、ＣＰＵ７１は第１ガス供給管の電磁弁６１を一旦閉じる（Ｓ１６）。ＣＰＵ７１は、電磁弁６１を閉じる前にＲＡＭ７３に記憶した鍋フラグが１か否か判断する（Ｓ１７）。電磁弁６１の駆動動作には大きな電流が流れる。電磁弁６１の閉弁後は電圧が不安定になる虞がある。特にコンロ１は乾電池を電源として使用しているので、電源回路４１の供給電圧が低下している場合もある。電源回路４１の供給電圧が低下するタイミングでは、鍋載置センサ５５による誤検出を招く可能性がある。そこで電磁弁６１を閉じる前にＲＡＭ７３に記憶した鍋フラグを参照する。電磁弁６１を閉弁する前は、電源回路４１の供給電圧は安定している。電源回路４１の供給電圧が安定した状態での鍋載置センサ５５，５６の検出結果は信頼性が高い。
【００３２】
ＣＰＵ７１はＲＡＭ７３に記憶されている鍋フラグが１であると判断した場合（Ｓ１７：ＹＥＳ）、五徳１１上に調理鍋が載置されているので、電磁弁６１を開弁する（Ｓ１８）。電磁弁６１を一旦閉じてから、標準バーナ５を点火させる必要がある場合に電磁弁６１を開弁させるのでコンロ１の安全性が向上する。ガスは第１ガス供給管を流れて標準バーナ５に供給される。ここで電磁弁６１の開弁動作は正常に終了しているので、供給電圧の低下によるリセット動作は起きていない。従って、ＲＡＭ７３に記憶されている鍋フラグを消去した上で（Ｓ１９）、イグナイタ３５を放電させて標準バーナ５に点火する（Ｓ２０）。標準バーナ５が正常に点火されると、ＣＰＵ７１は燃焼制御処理を実行する（Ｓ２１）。燃焼制御処理は、例えばサーミスタ７の検出温度に基づき、火力調節を行う処理である。五徳１１上に載置された調理鍋は例えば設定温度になるようにガス量が制御されて火力が調整される。
【００３３】
ＣＰＵ７１は点火スイッチ２１が押下されたか否か判断する（Ｓ２２）。使用者による点火スイッチ２１の再押下は標準バーナ５の消火操作である。ＣＰＵ７１は点火スイッチ２１が押下されていないと判断した場合（Ｓ２２：ＮＯ）、Ｓ２１に戻り、引き続き燃焼制御処理を実行する。ＣＰＵ７１は点火スイッチ２１が押下されたと判断した場合（Ｓ２２：ＹＥＳ）、処理を終了する。
【００３４】
一方、ＣＰＵ７１はＲＡＭ７３に記憶されている鍋フラグが０であると判断した場合（Ｓ１７：ＮＯ）、五徳１１上には調理鍋が載置されていない。ここで電磁弁６１の閉弁動作は正常に終了しているので、供給電圧の低下によるリセット動作は起きていない。従って、ＲＡＭ７３に記憶されている鍋フラグを消去した上で（Ｓ２５）、イグナイタ３５の駆動を禁止することによって点火禁止の処理を行う（Ｓ２６）。これにより五徳１１上に調理鍋が載置されていない状態で、標準バーナ５が点火されるのを防止できるので、コンロ１の安全性が向上する。ＣＰＵ７１はこうして処理を終了する。
【００３５】
なお上記実施例では、点火スイッチ２１が押下された場合について説明したが、例えば点火スイッチ２２が押下された場合も、強火力バーナ６において同様の処理が実行される。
【００３６】
上記説明において、点火スイッチ２１，２２が本発明の「操作部」の一例である。ＲＡＭ７３が本発明の「記憶手段」の一例である。図４のＳ１９，Ｓ２５の処理を実行するＣＰＵ７１が本発明の「消去手段」の一例である。Ｓ１２の処理を実行するＣＰＵ７１が本発明の「第一判断手段」の一例である。Ｓ２４の処理を実行するＣＰＵ７１が本発明の「異常対応処理手段」の一例である。
【００３７】
また鍋載置センサ５５，５６が本発明の「調理容器検出手段」の一例である。図４のＳ１６の処理を実行するＣＰＵ７１が本発明の「閉弁手段」の一例である。Ｓ１３、Ｓ１４，Ｓ１５の処理を実行するＣＰＵ７１が本発明の「調理容器検出記憶手段」の一例である。Ｓ１７の処理を実行するＣＰＵ７１が本発明の「第二判断手段」の一例である。Ｓ１８、Ｓ２０の処理を実行するＣＰＵ７１が本発明の「点火実行手段」の一例である。Ｓ２６の処理を実行するＣＰＵ７１が本発明の「点火燃焼制限手段」の一例である。
【００３８】
以上説明したように、本実施形態のコンロ１では、例えば点火スイッチ２１の点火操作時において、鍋載置センサ５５が五徳１１上に調理鍋を検出した場合、鍋載置センサ５５の鍋フラグ１が記憶される。調理鍋を検出しなかった場合、鍋フラグ０が記憶される。点火スイッチ２１による点火操作後に、電磁弁６１〜６３の何れかの動作が正常に終了した場合、ＲＡＭ７３に記憶された鍋フラグは消去される。電磁弁６１〜６３の何れかの動作が正常に終了する前に、例えば電源異常による制御回路７０のリセット動作が起きた場合、ＲＡＭ７３に記憶された鍋フラグは消去されない。従って、例えば点火スイッチ２１による点火操作後に電源をオンした際に、ＲＡＭ７３に鍋フラグが記憶されている場合、電源異常によるリセット動作が起きたことがわかる。この場合、ＣＰＵ７１は電源異常とみなし、点火禁止とする処理を実行する。これにより電源異常に対して迅速な対応が可能となる。
【００３９】
なお本発明は上記実施形態に限定されるものではなく、種々の変更が可能である。例えば、上記実施形態では、点火スイッチ２１による点火操作後において、標準バーナ５への第１ガス通路を開閉する電磁弁６１の駆動動作が正常に終了した場合に、ＲＡＭ７３に記憶した鍋フラグを消去する。ＲＡＭ７３に記憶した鍋フラグを消去するか否かの判断基準となる所定の動作は、例えばイグナイタ３５の点火動作等に替えてもよい。
【００４０】
また上記実施形態では、点火スイッチ２１による点火操作時において、ＲＡＭ７３に鍋フラグが記憶されている場合、電源異常とみなして、イグナイタ３５の点火動作を禁止する処理を実行する。この処理に替えて、例えば圧電ブザー５１を駆動して電源異常を報知してもよい。また操作パネル３０の表示画面３１に、電源異常を報知する為のメッセージを表示させてもよい。さらにスピーカ５２から電源異常を報知する為の音声を出力してもよい。
【００４１】
また上記実施形態では、点火スイッチ２１により点火操作時において、ＲＡＭ７３に鍋フラグが記憶されているか否かで、電源異常か否かの判断をしている。例えば、電源が投入されているか否かを示すフラグをＲＡＭ７３に記憶し、同様の処理を行うようにしてもよい。
【００４２】
また上記実施形態では、ＲＡＭ７３に鍋フラグを記憶しているが、例えば不揮発性のメモリに記憶するようにしてもよい。
【符号の説明】
【００４３】
１  コンロ
５  標準バーナ
６  強火力バーナ
１１  五徳
１５，１６  センサ部
２１〜２３  点火スイッチ
３１  表示画面
３５  イグナイタ
５１  圧電ブザー
５２  スピーカ
５５，５６  鍋載置センサ
６１〜６３  電磁弁
７０  制御回路
７１  ＣＰＵ
７３  ＲＡＭ
【図１】
0005822746.tif 000002
【図２】
0005822746.tif 000003
【図３】
0005822746.tif 000004
【図４】
0005822746.tif 000005